(57)【要約】【課題】連続的にエンジン等に供給することが出来るＨＨＯガス混合液体燃料供給装置を提供すること。【解決手段】軽油、重油、ガソリン、灯油或いはパーム油等の液体燃料をエンジン、ボイラー等の液体燃料燃焼機器部に供給するに際し、ＨＨＯガスを発生させるＨＨＯガス発生装置５０と、ＨＨＯガスを前記液体燃料内に微細気泡化させる微細気泡混合装置５とよりなり、微細気泡混合装置５は、筐体内に液体燃料導入循環ポンプ５４により導入する前記液体燃料の流速によりＨＨＯガスを、液体燃料内に浮遊する最大限の粒径を主として微細気泡化させる微細気泡化生成装置５３を配置すると共に、微細気泡混合装置５により微細気泡化したＨＨＯガスを浮遊させた液体燃料を、前記液体燃料燃焼機器部に液体燃料を連続的に供給すること。【選択図】図１
2018044549.tif 000002
【特許請求の範囲】
【請求項１】
軽油、重油、ガソリン、灯油或いはパーム油等の液体燃料をエンジン、ボイラー等の液体燃料燃焼機器部に供給するに際し、
ＨＨＯガスを発生させるＨＨＯガス発生装置と、
ＨＨＯガスを前記液体燃料内に微細気泡化させる微細気泡混合装置とよりなり、
微細気泡混合装置は、筐体内に液体燃料導入循環ポンプにより導入する前記液体燃料の流速によりＨＨＯガスを、液体燃料内に浮遊する最大限の粒径を主として微細気泡化させる微細気泡化生成装置を配置すると共に、
微細気泡混合装置により微細気泡化したＨＨＯガスを浮遊させた液体燃料を、前記液体燃料燃焼機器部に液体燃料を連続的に供給することを特徴とするＨＨＯガス混合液体燃料供給装置。
【請求項２】
エンジン、ボイラー等の液体燃料燃焼機器部に供給する気液混合燃料に混合される微細気泡の気泡径を前記液体燃料に浮遊する大きさであって、前記液体燃料燃焼機器部の燃料噴射ノズルの噴孔の内径よりも小さくすることを特徴とする請求項１に記載のＨＨＯガス混合液体燃料供給装置。
【請求項３】
請求項２記載の気泡径は、３０〜４０μｍであることを特徴とするＨＨＯガス混合液体燃料供給装置。
【請求項４】
液体燃料が貯留された燃料タンクから微細気泡混合装置に液体燃料を供給する際に夾雑物除去フィルターを設けることを特徴とする請求項１〜３の何れか記載のＨＨＯガス混合液体燃料供給装置。
【請求項５】
微細気泡混合装置から出た液体燃料のクラスターを微細化する液体燃料改質装置を、微細気泡混合装置と液体燃料燃焼機器部の間に設けることを特徴とする請求項１〜４の何れか記載のＨＨＯガス混合液体燃料供給装置。
【発明の詳細な説明】
【技術分野】
【０００１】
本発明は、内燃機関や燃焼装置に供給する軽油、重油、ガソリン或いはパーム油等の液体燃料にＨＨＯガスの微細気泡を浮遊分散させた気液混合燃料を製造するＨＨＯガス混合液体燃料供給装置に関する。
【背景技術】
【０００２】
ガソリン、軽油、重油、ガソリン或いはパーム油等の液体燃料を使用するエンジンなどの内燃機関においては、エンジン等の燃焼を促進させることにより、出力の増加、エンジンの低燃費化、及びエンジンから排出されるすす等の有害物質を低減化する環境対策の様々な工夫が提案されている。
【０００３】
このような課題を解決するための手段として、従来は、エンジンに供給する液体燃料に気泡を混入させる技術が知られている。一例を挙げると、実開昭５７−６６２６７号公報（特許文献１）、特開昭２００２−２２６２２７６号公報（特許文献２）がある。この技術は、気泡を混入させた液体燃料をエンジン内に噴射することにより、噴射の際に生じる圧力低下で混入した気泡が急激に膨張させ、燃料の液膜を破壊して、噴射した燃料噴霧の微粒化を促進し、燃焼効率を高めるとともに、エンジンから排出される有害物質等を低減させることが開示されている。
【０００４】
例えば、特許文献１によれば、気体（空気）を微細化して混入させた液体燃料（軽油）を使用して直噴ディーゼルエンジンを駆動したところ、正味燃料消費率が平均１４％の低減率であったと記述されている。このように、空気を微細化して混入させた液体燃料を使用することにより、エンジンの低燃費化を実現できるものと期待される。
【０００５】
また、特開昭２００８−１６９２５０号公報（特許文献３）には、エンジンに供給する液体燃料にエジェクター式の微細流体発生装置により水及び又は空気よりなる混入流体を微細化して、微細流体を液体燃料中に混入する技術が記載されている。
この発明では、いわゆる、エマルジョン燃料を想定した技術で、液体燃料に水等の流体、及び又は空気等の気体を微細化して混入する技術が開示されている。
【０００６】
この特許文献３の技術では、正味燃料消費率は平均１４％の低減率であるとされている。特に、エマルジョン燃料の利用拡大を図る可能性を有している。
【０００７】
更に、特開昭２０１３−１４２１５４号公報（特許文献４）では、エンジンに供給する液体燃料にＨＨＯガスを、ナノ化した気泡を混入させる技術が開示されている。
【０００８】
この特許文献４によれば、ＨＨＯガスを微細化して混入させた液体燃料（軽油）を使用して直噴ディーゼルエンジンを駆動したところ、燃費が４０％向上と記述されている。このように、ＨＨＯガスを微細化して混入させた液体燃料を使用することで低燃費化を実現できるものと期待される。
【先行技術文献】
【特許文献】
【０００９】
【特許文献１】実開昭５７−６６２６７号公報
【特許文献２】特開２００２−２２６２２７号公報
【特許文献３】特開２００８−１６９２５０号公報
【特許文献４】特開２０１３−１４２１５４号公報
【発明の概要】
【発明が解決しようとする課題】
【００１０】
従来、このようにディーゼルエンジン等の内燃機関において、特許文献１乃至３に開示された技術手段を採用することにより、エンジンの低燃費化、及び、エンジンから排出される有害物質の低減化を達成するとしながらも未だ実用化に至っていない。この原因として、空気を微細化したときに、その気泡の直径にバラツキが生じることに起因すると推測される。即ち、ナノサイズの径から数百マイクロメートル以上の大きい径の気泡が混入すると考えられる。この数百マイクロメートルの大きな径の気泡がエンジンに噴射するときに、燃料を噴射ノズルから噴射する際に大きい径の気泡によりエンジンへの燃料噴射が遮断され、燃料の燃焼が一時的に停止することになる。また、エンジンへ液体燃料を噴射させる燃料噴射ポンプ内に大きい径の気泡が混入することにより、ポンプが空転あるいは停止するなどの機能が低下して液体燃料の噴射が滞ることが予想される。
【００１１】
一方、特許文献４に記載のＨＨＯガスを使用した技術では、液体燃料にＨＨＯガスをナノからマイクロレベルにかけての微細気泡と多数混入した液体燃料については、上述の燃費向上の可能性は有している。しかしながら、現実の燃焼装置において、バッチ式ではなく連続的に液体燃料をエンジンに供給しようとすると、ＨＨＯガスをナノからマイクロレベルの気泡を液体燃料内に溶存させることはできないのが現状である。
【００１２】
本発明が解決しようとする課題は、連続的にエンジン等に供給することが出来るＨＨＯガス混合液体燃料供給装置を提供することにある。
【課題を解決するための手段】
【００１３】
そこで、本発明によるＨＨＯガス混合液体燃料供給装置は、
１．軽油、重油、ガソリン、灯油或いはパーム油等の液体燃料をエンジン、ボイラー等の液体燃料燃焼機器部に供給するに際し、
ＨＨＯガスを発生させるＨＨＯガス発生装置と、
ＨＨＯガスを前記液体燃料内に微細気泡化させる微細気泡混合装置とよりなり、
微細気泡混合装置は、筐体内に液体燃料導入循環ポンプにより導入する前記液体燃料の流速によりＨＨＯガスを、液体燃料内に浮遊する最大限の粒径を主として微細気泡化させる微細気泡化生成装置を配置すると共に、
微細気泡混合装置により微細気泡化したＨＨＯガスを浮遊させた液体燃料を、前記液体燃料燃焼機器部に液体燃料を連続的に供給することを特徴とする。
【００１４】
２．エンジン、ボイラー等の液体燃料燃焼機器部に供給する気液混合燃料に混合される微細気泡の気泡径を前記液体燃料に浮遊する大きさであって、前記液体燃料燃焼機器部の燃料噴射ノズルの噴孔の内径よりも小さくすることを特徴とする。
【００１５】
３．更に、前記気泡径は、３０〜４０μｍであることが好ましい。
【００１６】
４．液体燃料が貯留された燃料タンクから微細気泡混合装置に液体燃料を供給する際に夾雑物除去フィルターを設けることを特徴とする。
【００１７】
５．微細気泡混合装置から出た液体燃料のクラスターを微細化する液体燃料改質装置を、微細気泡混合装置と液体燃料燃焼機器部の間に設けることを特徴とする。
【発明の効果】
【００１８】
本発明によれば、微細気泡混合装置の筐体内に液体燃料導入循環ポンプにより導入する前記液体燃料の流速によりＨＨＯガスを、液体燃料内に浮遊する最大限の粒径を主として微細気泡化させることで、前記エンジンに連続的に供給することが出来、ＨＨＯガスを大量にエンジンに供給することが出来、エンジンの連続運転が可能となる。
【図面の簡単な説明】
【００１９】
【図１】本発明に関わるＨＨＯガス混合液体燃料供給装置をエンジン等に接続した例を示す第一の実施の形態を示す概略説明図。
【図２】本発明に関わるＨＨＯガス混合液体燃料供給装置を温泉施設のボイラーに適用した第二の一実施の形態例を示す概略説明図。
【発明を実施するための形態】
【００２０】
以下、図面に基づいて本発明の実施例を詳細に説明する。
図１は、燃料タンク１から内燃機関として例えばディーゼルエンジン等のエンジン７に、ＨＨＯガス混合液体燃料供給装置３を適用した概略説明図で、燃料タンク１からエンジン７に液体燃料を供給する液体燃料供給ライン１０に、ＨＨＯガス混合液体燃料供給ライン１１を並列に付記した実施の形態を示している。
【００２１】
また、ディーゼルエンジンには液体燃料としての軽油が使用され、液体燃料を軽油として説明するが、これ以外の液体燃料としては、例えば、重油、ガソリン或いはパーム油等を用いることが出来る。
【００２２】
燃料タンク１内に貯留された液体燃料は、燃料ポンプ２１等の液体移送手段で、燃料供給ライン１０に液体燃料を送る。燃料供給ライン１０は、開閉弁３０、３１を介しＨＨＯガス混合液体燃料排出口１２を介して液体燃料供給ライン１３に接続されている。
【００２３】
また、開閉弁３０の上流側から分岐して開閉弁３２を介してＨＨＯガス混合液体燃料供給ライン１１の上流端側に接続している。このＨＨＯガス混合液体燃料供給ライン１１の下流端側は、前記液体燃料供給ライン１０の開閉弁３１下流側のＨＨＯガス混合液体燃料排出口１２の前で、開閉弁３３を介して合流させる構成となっている。
【００２４】
ＨＨＯガス混合液体燃料供給ライン１１は、上流端側の開閉弁３２に次いで液体燃料内の夾雑物除去フィルター４と、ＨＨＯガス発生装置５０で発生させたＨＨＯガスを前記液体燃料内に微細気泡化させる微細気泡混合装置５と、液体燃料のクラスターを微細化する液体燃料改質装置６と微細化する液体燃料を送り出す燃料ポンプ２２を設ける構成となっている。
【００２５】
液体燃料を通過させる夾雑物除去フィルター４は、液体燃料内に存する夾雑物を主に取り除くものであり、例えば１μｍ程度の市販の微細なフィルターを用いることが出来る。ここで、夾雑物除去フィルター４は、次の微細気泡混合装置５内で液体燃料内にＨＨＯガス発生装置５０で発生させたＨＨＯガスを、微細気泡化させて液体燃料内に浮遊させる際に、障害となる夾雑物を取り除く為に設けられている。
【００２６】
ＨＨＯガス発生装置５０は、ＨＨＯガス（水素と酸素が約２：１の割合で混合する気体であり、ブラウンガスとも言う）を発生させるものであり、一般に電気分解の原理を利用して、水素及び酸素を混合させた状態のＨＨＯガスを発生させている。
【００２７】
微細気泡混合装置５は、筐体５２内に配置し、液体燃料導入循環ポンプ５４により前記筐体５２内の液体燃料を循環させ、その流速によりＨＨＯガスを、液体燃料内に浮遊する最大限の粒径を主として微細気泡化させる微細気泡化生成装置５３を配置する。
【００２８】
微細気泡化生成装置５３は、液体燃料内に浮遊する最大限の粒径を製造する装置として、ナノバブルからマイクロバブルを発生することができる装置を用いることが出来る。
例えば特許第４６５２４７８号公報に示す技術を用いることが出来る。この装置では、ナノレベルの気泡を効率的に発生させることが出来るが、マイクロレベルの微細気泡も発生でき、３０〜４０μｍの気泡も安定的に発生させることが出来る。
【００２９】
ここで、３０〜４０μｍの気泡の大きさが好ましいとしたのは、この範囲の気泡の大きさでも、液体燃料の種類により異なるが、液内の気泡が安定的に浮遊することを見いだしたものである。従来技術で開示されている１０μｍ以下の気泡では、ＨＨＯガスを大量に液体燃料に混合するには、長時間高圧力を必要とし、更に、燃料に対するＨＨＯガスの容積比率が不足するからである。
【００３０】
なお、筐体５２内に液体燃料を循環導入する液体燃料導入循環ポンプ５４は、前記したように液体燃料内に微細気泡を形成させるもので、前記特許第４６５２４７８号公報に示す技術を用いる場合には、０．８ＭＰ程度の圧力の液体燃料導入循環ポンプ５４で前記気泡を発生することが出来る。
【００３１】
特に、従来のＨＨＯガス気泡をナノレベルとした場合には、液体燃料内に多数の気泡を含有させたとしても、ナノレベルの気泡の体積は、３乗の割合で体積量が減るため、液体燃料内のＨＨＯガスの容積割合を多くすることが出来ない。
この為、バッチ形式とし、圧力をかけて連続的に処理を繰り返し、液体燃料を形成する必要があった。これに対し、３０〜４０μｍ程度の気泡径では、比較的大量に液体燃料内に浮遊した飽和状態とすることが出来、相当量のＨＨＯガスを液体燃料に含ませた状態で、エンジンに連続して供給することができる。
【００３２】
なお、１００μｍ以上のエンジンの燃料噴射ノズルの噴孔の内径よりも、気泡径が３０〜４０μｍと小さい。このように小さな気泡径の小さい浮遊気泡を含有する液体燃料は、ノズルを詰まらせることなく安定的にノズルを通過させることが出来、燃料ポンプ２２を空転させることもない。
【００３３】
次に、微細気泡を含有させた気液混合燃料は、液体燃料改質装置６を通過する。
この液体燃料改質装置６は、液体燃料の液体状体のクラスターを微細化させる為に設けるもので、例えば、公知の磁力、高周波、遠赤外線手段を利用することができる。
この液体燃料改質装置６は、例えばパーム油等を用いる場合には特に有益である。
【００３４】
液体燃料改質装置６を出た微細気泡を含有させたＨＨＯガス混合液体燃料は、燃料ポンプ２２で加圧して開閉弁３３を通過した後、ＨＨＯガス混合液体燃料排出口１２から排出させ、後述のエンジン７に供給することが出来る。
【００３５】
なお、燃料ポンプ２２は、当初使用されている燃料供給ライン１０の燃料ポンプ２１と同様のものを用いることが出来る。
【００３６】
次に、本発明に係るＨＨＯガス混合液体燃料供給装置を液体燃料燃焼機器部としてエンジンに接続した構成を説明する。
【００３７】
前記液体燃料排出口１２から液体燃料供給ライン１３の下流側には、エンジン７への液体燃料導入口１４に接続する。
【００３８】
液体燃料導入口１４により、導入されたＨＨＯガス混合液体燃料は、分岐された開閉弁３４、３５を介し、主エンジン供給ライン１５、及び補助エンジン供給ライン１６に供給可能となっている。
【００３９】
主エンジン供給ライン１５により供給されたＨＨＯガス混合液体燃料は、主エンジン７０のデリバリーパイプ７１に設けているインジェクター７２（燃料噴射ノズル）よりエンジン内に液体燃料を噴射し燃焼に寄与する構成となっている。
また、噴射を行わなかった余剰の液体燃料は、余剰液体燃料戻しライン１７を介し前記燃料タンク１に戻すこともできる。
【００４０】
この第１の実施の形態は、上述のように構成し、始動時には、開閉弁３０、３１、３４を開き、液体燃料を燃料供給ライン１０−液体燃料供給ライン１３−主エンジン供給ライン１５で燃料タンク１から燃料ポンプ２１を作動させてエンジン７に供給する。
【００４１】
次いで、エンジンの暖気運転等が済み、エンジン７が安定した状態となると、ＨＨＯガス発生装置５０を作動させ、ＨＨＯガスを発生させ逆止弁５１を介し、微細気泡混合装置５にＨＨＯガスの供給を開始する。
【００４２】
微細気泡混合装置５にＨＨＯガスの供給した状態で、液体燃料導入循環ポンプ５４を作動させ、微細気泡混合装置５の筐体５２内の液体燃料を循環させる。このとき液体燃料導入循環ポンプ５４により循環した液体燃料は、微細気泡化生成装置内で供給されたＨＨＯガスが微細化されて液体燃料内に浮遊混合される。
【００４３】
次いで、開閉弁３２、３３を開き、また液体燃料導入循環ポンプ５４、燃料ポンプ２２を作動させ、エンジン７への液体燃料のＨＨＯガス混合液体燃料供給ライン１１を開く。安定してＨＨＯガス混合液体燃料の供給が行われたら、開閉弁３０、３１を閉じ、液体燃料の供給は、ＨＨＯガス混合液体燃料供給ライン１１に切り替えを終える。
【００４４】
なお、前記ＨＨＯガス混合液体燃料供給ライン１１をエンジン始動から時間差を設けて切り替えるのは、ＨＨＯガス発生装置５０が、電気分解を主として使用する事を考慮して、電力面からも、ＨＨＯガス混合液体燃料供給ライン１１への切り替え時間をずらすことが好ましいからである。
【００４５】
なお、例えば電力が不足する場合には、補助エンジン供給ライン１６の開閉弁３５を開き、補助エンジン７３にＨＨＯガス混合液体燃料を供給して発電をすることもできる。
【００４６】
図２は、本発明ＨＨＯガス混合液体燃料供給装置をエンジンの代わりに温浴設備のボイラーに使用した第２の実施の形態を示すものである。前述の第１の実施形態と同一構成の部分は、第１の実施形態の説明を援用することとし、その説明を省略する。
【００４７】
第２の実施の形態に係るＨＨＯガス混合液体燃料供給装置を、液体燃料燃焼機器部として温浴設備８に接続した構成を説明する。温浴設備８としては、例えばボイラー等を使用することができる。本実施形態では、２機のボイラーを用いた例を示している。
【００４８】
また、本実施形態では、温浴設備８には液体燃料としての灯油が使用され、液体燃料を灯油として説明するが、これに限られない。
【００４９】
前記ＨＨＯガス混合液体燃料排出口１２から液体燃料供給ライン１３の下流側の液体燃料導入口１４から、二点鎖線に示すように、第１ボイラー８１及び第２ボイラー８２の図示しないバーナーに接続しＨＨＯガス混合液体燃料を燃焼させている。
【００５０】
なお、この温浴設備は、貯湯槽８０の湯を湯循環ポンプ９１、９２、９３，９４を介し第１ボイラー８１及び第２ボイラー８２を循環させる。また、第１ボイラー８１及び第２ボイラー８２は熱交換器８３、８４に接続して循環温水を暖めるのに使用している。
【００５１】
なお、図中８５はシャワー・カラン等の循環に使用される湯循環ポンプ、Ｔ１〜Ｔ４はボイラー湯温計、Ｆ１、Ｆ２は循環する温水の流量計である。
【実施例】
【００５２】
（実施例１）
以下に、図１に示すＨＨＯガス混合液体燃料供給装置を用い、ディーゼルエンジンに発電機の負荷をかけ試験した。
【００５３】
試験装置は以下の通りとした。
使用エンジン：ＩＳＵＺＵ  3LD1 DA-04
使用発電機  ：北越工業（株）AIRMAN TWH1エンジン７ VE7727 BRUSHLESS A・C GENERATER
ＨＨＯガス発生装置：ＨＨＯガス1200cc/min  DC24V/14AMAX
流量計    ：(株)小野測器  FP-2140
使用燃料  ：軽油
エンジンオイル１：出光(株)製  ゼプロジ−ゼル  CF4/DH-2 10W-30  
【００５４】
上述の試験装置で、比較例として当初通常のエンジン構成の燃料供給ライン１０で、無負荷運転、５ｋｗ負荷、１０ｋｗ負荷でそれぞれ試験した。
【００５５】
次いで本発明にかかるＨＨＯガス混合液体燃料供給装置のＨＨＯガス混合液体燃料供給ライン１１の液体燃料を切替接続して、無負荷運転、５ｋｗ負荷、１０ｋｗ負荷で試験した結果を表１に示す。
【００５６】
【表１】
2018044549.tif 000003
【００５７】
上述のように、本発明に係るＨＨＯガス混合液体燃料供給装置を用いることにより、無負荷時には１８．４４％、５ｋｗ負荷で、２１．４３％、１０ｋｗ負荷で、２０．９２％の液体燃料の削減率を示している。
なお、比較例では、５ｋｗ負荷、１０ｋｗ負荷の何れにおいても、排気ガスからの黒煙の発生が見られたが、本発明に係るＨＨＯガス混合液体燃料供給装置においては、５ｋｗ負荷、１０ｋｗ負荷の何れにおいても、排気ガスからの黒煙の発生はなかった。
【００５８】
（実施例２）
次に、実施例１と同様の図１に示すＨＨＯガス混合液体燃料供給装置を用い、液体燃料としてパーム油を用いて、ディーゼルエンジンに発電機の負荷をかけ試験した。
【００５９】
試験装置は以下の通りとした。
使用エンジン：ＩＳＵＺＵ  3LD1 DA-04
使用発電機  ：北越工業（株）AIRMAN TWH1エンジン７ VE7727 BRUSHLESS A・C GENERATER
ＨＨＯガス発生装置：ＨＨＯガス1200cc/min  DC24V/14AMAX
流量計    ：(株)小野測器  FP-2140
使用燃料  ：パーム油
エンジンオイル２：AMSOIL PREMIUM API CJ-4 Synthetic 5W-40 Dieserl Oil(DEO)
【００６０】
上述の試験装置で、比較例として当初通常のエンジン構成の燃料供給ライン１０で、無負荷運転、５ｋｗ負荷、１０ｋｗ負荷でそれぞれ試験した。
次いで本発明にかかるＨＨＯガス混合液体燃料供給装置のＨＨＯガス混合液体燃料供給ライン１１に液体燃料を切替接続して、無負荷運転、５ｋｗ負荷、１０ｋｗ負荷で試験した結果を表２に示す。
【００６１】
【表２】
2018044549.tif 000004
【００６２】
上述のように、本発明に係るＨＨＯガス混合液体燃料供給装置を用いることにより、無負荷時には１１．０７％、５ｋｗ負荷で、１２．２９％、１０ｋｗ負荷で、１３．０３％の液体燃料の削減率を示している。
なお、比較例では、５ｋｗ負荷、１０ｋｗ負荷の何れにおいても、排気ガスからの黒煙の発生が見られたが、本発明に係るＨＨＯガス混合液体燃料供給装置においては、５ｋｗ負荷、１０ｋｗ負荷の何れにおいても、排気ガスからの黒煙の発生はなかった。  
【００６３】
また、一般的に軽油を使用したときに比べ、本発明では、液体燃料消費量が若干多くなっているが、軽油と遜色がない消費量で、バイオマス燃料としてのパーム油を使用することができる。
【００６４】
（実施例３）
実施例３は、前述した図２に係る第２の実施の形態に係るＨＨＯガス混合液体燃料供給装置を温泉施設に適用したものである。
【００６５】
ここで、使用ボイラーなどの使用機器は
株式会社日本サーモエナー：真空式給湯暖房温水機KFL-800BL
ＨＨＯガス発生装置：ＨＨＯガス1200cc/min  DC24V/14AMAX
使用燃料  ：灯油
【００６６】
上述の２機のボイラーにＨＨＯガス混合液体燃料供給装置で生成したＨＨＯガス混合液体燃料を供給して燃焼させて、湯温を昇温させて温泉施設で使用した。  ここで、灯油使用量の効率の算出に当たり、２機のボイラーの使用エネルギーを算出しこれと灯油使用量の相違を比較した。
【００６７】
なお、本発明は、本年５月１３日午後から１７日午前まで、比較例は２０１７年３月２５日から２８日に、本発明ＨＨＯガス混合液体燃料を供給無しの従来の状態で測定を行った。
【００６８】
ここで、エネルギーの算出に当たって、貯湯槽に補給する補給浄水は、本発明に係る場合は、上水温度が２０．５℃であったことより、これを５７．５℃に３７℃昇温させた。比較例では、上水温度が１９．５℃であったことより、これを５７．５℃に３８℃昇温させて、各積算エネルギー値として算出した。
【００６９】
また、各ボイラー部については、本発明、比較例共に、１分ごとの流量を流量計Ｆ１，Ｆ２で測定し、これに湯温計Ｔ１〜Ｔ４により、４分間ごとの平均湯温差測定し、前記流量値を積算することでエネルギー値とした。
【００７０】
【表３】
2018044549.tif 000005
【００７１】
【表４】
2018044549.tif 000006
【００７２】
上述の表３、表４に示すように、本発明に係るＨＨＯガス混合液体燃料供給装置を用いた５月１４日の使用エネルギー量は１,８２０，６２２Ｋｃａｌで使用灯油量は６０７リットルであった。
【００７３】
これに対し比較例の３月２５日では、１，８９２，２０９Ｋｃａｌで使用灯油量は１，２１８リットル、３月２７日では、１，７５１，４６４Ｋｃａｌで使用灯油量は１，１９７リットルとなっていた。
【００７４】
このように、同様のエネルギー量を使用する灯油使用量は、半分程度の使用量ですみ、効率的に灯油を使用することができ、大幅な経費削減をはかることができる。
【符号の説明】
【００７５】
１  燃料タンク
１０  燃料供給ライン
１１  ＨＨＯガス混合液体燃料供給ライン
１２  ＨＨＯガス混合液体燃料排出口
１３  液体燃料供給ライン
１４  液体燃料導入口
１５  主エンジン燃料供給ライン
１６  補助エンジン燃料供給ライン
１７  余剰液体燃料戻しライン
２１、２２  燃料ポンプ
３  ＨＨＯガス混合液体燃料供給装置
３０、３１、３２、３３、３４、３５  開閉弁
４  夾雑物除去フィルター
５  微細気泡混合装置
５０  ＨＨＯガス発生装置
５１  逆止弁
５２  筐体
５３  微細気泡化生成装置
５４  液体燃料導入循環ポンプ
６  液体燃料改質装置
７  エンジン
７０  主エンジン
７１  デリバリーパイプ
７２  インジェクター
７３  補助エンジン
８  温浴設備
８０  貯湯槽
８１、８２  ボイラー
８３、８４  熱交換器
９１、９２、９３、９４、９５  湯循環ポンプ
Ｔ１、Ｔ２、Ｔ３、Ｔ４  温度計
Ｆ１、Ｆ２  流量計
【図１】
2018044549.tif 000007
【図２】
2018044549.tif 000008